(57)【要約】【課題】  非常時において、非常用照明を補完する、電源に依存しない避難誘導構造を提供する。【解決手段】  発光部に夜光塗料を使用したモールディングが、建物内の通路、階段若しくは室内の壁面水平方向又は非常口のドア廻りに連続して設置されている。モールディングは夜光塗料を成分として含む発光体を使用しているため、非常時前の照明がついた明るい状態等で夜光塗料に光が蓄えられるため、非常時において停電となった場合でも、夜光塗料が光りを発し、明かりを提供することができ、避難を円滑に行うことができる。【選択図】    図１
2007213266.tif 000002
【特許請求の範囲】
【請求項１】
非常時における建物内の通路、階段又は室内における避難誘導構造であって、建物内の通路、階段若しくは室内の壁面水平方向又は非常口のドア廻りに連続して設置される発光部を有する建物の避難誘導構造。
【請求項２】
前記発光部が夜光塗料により発光することを特徴とする請求項１に記載の発光部を有する建物の避難誘導構造。
【請求項３】
夜光塗料により発光する発光体と該発光体を囲む透光部を有する発光体カバーと壁面に取り付ける壁下地材とからなり、該発光体カバーが壁面に取り付けられる壁下地材に嵌合状態に取り付けられることを特徴とする発光部を有するモールディング。
【請求項４】
建物内の通路、階段若しくは室内の壁面又は水平方向及び非常口のドア廻りに連続して設置される夜光塗料により発光する発光部を有する建物の避難誘導構造よりなる、非常時における建物内の通路、階段又は室内における避難誘導方法。
【発明の詳細な説明】
【技術分野】
【０００１】
本発明は、建物の避難誘導構造及び避難誘導方法に関する。
【背景技術】
【０００２】
従来より、廊下や階段に用いられる発光幅木は提供されている。
【特許文献１】特開２００５−２８２２５７号公報
【発明の開示】
【発明が解決しようとする課題】
【０００３】
従来の発光幅木は、平常時の夜間における照明を前提としたものであり、幅木を発光させるために電力を必要としている。
【０００４】
また、建物内には非常時において、誘導灯、非常灯を設けることが消防法、建築基準法で定められているが、これらは非常時に停電した場合に対応するため、バッテリー電源を採用している。
【０００５】
図６に従来の、廊下の非常時における照明例を示す。
【０００６】
そのため、非常照明としての稼働時間は法律に規定されている２０〜３０分程度となっており、これら誘導灯、非常灯が消灯した後は、真っ暗になり階段の段差や出入り口の位置さえ分からない状態となる。
【０００７】
特に高層建物では、避難までに非常に時間がかかり、負傷者の避難は長時間になるため、非常用照明を補完する、電源に依存しない誘導装置が必要となる。
【課題を解決するための手段】
【０００８】
上記の課題は、非常時における建物内の通路、階段又は室内における避難誘導構造であって、建物内の通路、階段若しくは室内の壁面水平方向又は非常口のドア廻りに連続して設置される発光部を有する建物の避難誘導構造によって解決される。
【０００９】
この建物の避難誘導構造によれば、建物内の通路、階段若しくは室内の壁面水平方向又は非常口のドア廻りに発光部が連続して設置されているので、避難者は連続して光る発光部を目印として避難することで非常口のドアまで、確実に避難することができる。
【００１０】
また、本避難誘導構造の発光部が、夜光塗料により発光するとよい。
【００１１】
避難誘導構造の発光部が夜光塗料により発光すると、非常時前の照明がついた明るい状態や非常時の誘導灯、非常灯が点灯している状態で夜光塗料に光が蓄えられるため、非常時において停電となり、誘導灯、非常灯も消灯した後でも、夜光塗料が光りを発し、停電状態であっても、明かりを提供することができ、避難を円滑に行うことができる。
【００１２】
また上記課題は、夜光塗料により発光する発光体と該発光体を囲む透光部を有する発光体カバーと壁面に取り付ける壁下地材とからなり、該発光体カバーが壁面に取り付けられる壁下地材に嵌合状態に取り付けられることを特徴とする発光部を有するモールディングによっても解決される。
【００１３】
本モールは、内部に夜光塗料により発光する発光体を有しているため、非常時前の照明がついた明るい状態や非常時の誘導灯、非常灯が点灯している状態で夜光塗料に光が蓄えられるため、非常時において停電となり、誘導灯、非常灯も消灯した後でも、夜光塗料が光りを発し、停電状態であっても、明かりを提供することができ、通常時発光させるための電源が不要であり、電気配線を気にすることなく任意の場所に取り付けることができるため、避難誘導路に沿って任意の場所に自由に本モールディングを配置することで、非難誘導のためにモールディングを適切な場所に配置させることができる。
【００１４】
さらに、下地材を壁面に取り付けたあと発光体カバーを嵌合状態に取り付けることができるため、発光体カバーの固定にビス等の締結具が必要なく、外観もきれいにすっきりとしたものとすることができる。
【００１５】
また本課題は、建物内の通路、階段若しくは室内の壁面水平方向又は非常口のドア廻りに連続して設置される夜光塗料を成分として含む発光部を有する建物の避難誘導構造よりなる、非常時における建物内の通路、階段又は室内における非難誘導方法によって解決される。
【００１６】
本避難誘導方法により、非常時に停電となり、誘導灯、非常灯も消灯した後であっても、夜光塗料が平常時及び誘導灯、非常灯点灯時に蓄えた光を発することにより、停電状態であっても、明かりを提供することができ、適切な避難を行うことができる。
【発明の効果】
【００１７】
本発明の避難誘導構造及び避難誘導方法は以上のとおりのものであるから、非常時に停電となり誘導灯、非常灯も消灯した後であっても、適切な避難を行うことができる。
【発明を実施するための最良の形態】
【００１８】
次に、本発明の実施最良形態を図面に基づいて説明する。
【００１９】
図１，２に示す実施形態において、１は避難誘導構造、２は建物の廊下、３は壁面、４は非常口のドア、５は非常口でないドア、６は階段、７は消防法で設置が義務付けられている誘導灯、８は建築基準法で設置が義務付けられている非常灯である。
【００２０】
図３（イ）、（ロ）において、９は壁下地材、１３は壁下地材を壁面３に固定するビス、１１は夜光塗料により発光する発光体、１２は発光体カバーである。
【００２１】
壁下地材９は中央部９１とその両端に位置する側部９２、９２とからなる断面略コの字形をした長尺物であり、中央部９１の開放部９３と反対側の面を壁面３に当接して、ビス１３で壁面３に取り付けられる。壁下地材９の開放部９３の幅寸法は発光体１１の幅寸法と同じ寸法となっており、壁下地材９を壁面３にビス１３で取り付けた後、発光体１１を壁部下地材９の開放部９３に挿入し、発光体１１を仮固定する。
【００２２】
発光体１１を壁下地材９の開放部９３に挿入し、発光体１１を仮固定したあと、発光体カバー１２を壁下地材９に嵌合する。発光体カバー１２は中央部１２１とその両端に位置する側部１２２、１２２とからなる断面略コの字形をした透光性を有する長尺物であり、発光体カバー１２の側部１２２、１２２の内向き側には壁下地材９と嵌合する凸部が形成されている。壁下地材９の側部９２、９２の外側には発光体カバー１２と嵌合する凹部が形成されており、発光体カバー１２の側部１２２、１２２の凸部と嵌め合わされることにより、発光体カバー１２が発光体１１を介して壁下地材９に固定される。
【００２３】
発光体カバー１２は透明の材料、例えばアクリル板からなっており、発光体１１が発光すると、その光が発光体カバー１２を透って周囲に光を発する。
【００２４】
本避難誘導構造では、発光部を有するモールディング１０が、建物の廊下３では壁面３の下方部に水平方向に連続して設置され、建物の階段６では、階段の傾斜に合わせて壁面３の下方に斜め方向に連続して設置されている。
【００２５】
さらに、廊下もしくは踊り場に配置される非常口４の廻りでは、発光部を有するモールディング１０は非常口のドア４の縦枠４１及び上側横枠４２を囲むように設置されている。一方、非常時において非常口とならない一般の部屋との出入り口としてのドア５に対しては、ドア枠の廻りを囲むように発光部を有するモールディング１０を設置せず、廊下の壁面の下方部に設置する場合と同じ高さ位置で、ドア５と隣接する壁面に設置された発光部を有するモールディング１０と連続させる形態で、ドア５の下方部に発光部を有するモールディング１０を設置する。
【００２６】
非常時においては、廊下及び階段の壁面の下方と非常口でないドアの下方とに連続して発光部を有するモールディング１０が設置され、非常口となるドアのドア枠周囲には発光部を有するモールディング１０がドア枠を囲むように設置されているため、避難する者は避難経路及び非常口を明確に把握することができ、暗闇でも安全に非難することができる。
【００２７】
本ホールディングは夜光塗料により発光する発光体を使用しているため、非常時前の照明がついた明るい状態や非常時の誘導灯、非常灯が点灯している状態で夜光塗料に光が蓄えられるため、非常時において停電となり、誘導灯、非常灯も消灯した後でも、夜光塗料が光りを発するため、停電状態であっても、明かりを提供することができ、避難を円滑に行うことができる。
【００２８】
本モールディングは、内部に夜光塗料により発光する発光体を有しているため、発光させるために電源が不要であり、電気配線を必要としないためモールディングを任意の場所に取り付けることができ、避難誘導路に沿って任意の場所にそって配置することで、適切な配置をとることができる。
【００２９】
また、本避難誘導構造では、夜光塗料を成分として含む発光体と該発光体を囲む透光部を有する発光体カバーと壁面に取り付ける壁下地材とからなり、該発光体カバーが壁部に取り付けられる壁下地材に嵌合状態に取り付けられることを特徴とする発光部を有するモールディングからなっているため、下地材を壁面に取り付けたあと発光体カバーを嵌合状態に取り付けることができるため、発光体カバーの固定にビス等の締結具が必要なく、発光体カバーを外観もきれいにすっきりとしたものとすることができる。
【００３０】
本発明において、モールディングが連続して設置されているとは、物理的に連続して設置されているのはもちろんのこと、物理的に分離して設置されていたとしても、視覚的に一連のつながりとして認識される形態で設置されていることを含んだ意味として把握される。図４にモールディングが物理的に分離して設置された実施例を示す。
また、本発明において非常口のドアとは法令上定められた非常口としてのドアだけを意味するのではなく、本発明を実施する者が、対象として認める一般のドアを含むものとして把握される。
【００３１】
以上に、本発明の実施形態を示したが、本発明はこれに限られるものではなく、発明思想を逸脱しない範囲で各種の変更が可能である。例えば、避難誘導構造を使用する建物として誘導灯や非常灯の設置が義務付けられているビルなど大規模な建物に限定されるだけでなく、誘導灯や非常灯の設置が義務付けられていない、住宅などに適用してもよい。
【００３２】
また、避難誘導構造は、廊下や階段に限られるだけでなく、室内に設置されてもよい。つまり、室内から避難する際に、出入り口としてのドアを明確に認識して避難できるように目的として設置してもよい。図５に室内に使用された例を示す。
【００３３】
また、本実施形態では、モールディングを壁面部下方に設置する例について説明したが、取り付け位置に限定されるわけではなく、避難する際、避難する者が避難方向や非常口のドアを充分に認識できる位置に取り付けられていればよく、壁面上方、壁面上方及び下方の２カ所又は壁面の複数の位置に取り付けられていてもよい。
【００３４】
また、本実施形態では、夜光塗料により発光する発行体について説明したが、これに変わる発光体例えばＬＥＤ等からなる発光体であってもよい。さらに、発光体が発光体カバーを使用せず直接露出したものを含むことはいうまでもない。
【００３５】
また、本避難誘導構造は非常時の避難誘導だけを目的として設置されるのではなく、夜間の暗がりにおいて、安全に移動するための誘導装置として用いられることを含むことはいうまでもない。
【図面の簡単な説明】
【００３６】
【図１】実施形態の避難誘導構造が用いられている廊下の全体透視図である。
【図２】実施形態の避難誘導構造が用いられている階段の全体透視図である。
【図３】避難誘導構造を構成するモールディングを示すもので、（イ）は断面側面図、（ロ）は分解断面側面図である。
【図４】（イ）は避難誘導構造を構成するモールディングを示す斜視図、（ロ）は、他の実施形態の避難誘導構造を構成するモールディングを示す斜視図である。
【図５】他の実施形態の避難誘導構造が用いられている室内の全体透視図である。
【図６】従来の非常時の照明状態を示す全体透視図である。
【符号の説明】
【００３７】
１・・・避難誘導構造
２・・・廊下部
３・・・壁面
４・・・非常口のドア
５・・・室の出入り口としての一般のドア
６・・・階段部
７・・・誘導灯
８・・・非常灯
９・・・壁下地材
１０・・・モールディング
１１・・・発光体
１２・・・発光体カバー
１３・・・ビス
【図１】
2007213266.tif 000003
【図２】
2007213266.tif 000004
【図３】
2007213266.tif 000005
【図４】
2007213266.tif 000006
【図５】
2007213266.tif 000007
【図６】
2007213266.tif 000008